(57)【要約】【課題】本方法は、１組の移動局および基地局を含むマルチ入力マルチ出力（ＭＩＭＯ）ネットワークのセルにおいて複数のシンボルを通信する。【解決手段】これらのシンボルは、直交周波数分割多重化（ＯＦＤＭ）および時分割２重（ＴＤＭ）を使用して伝達される。基地局と移動局との間でこれらのシンボルを通信するためのフレームが構成される。そのフレームは、ダウンリンク・サブフレームおよびアップリンク・サブフレームに分割される。アップリンク・サブフレームは第１ゾーンと第２ゾーンとに分割され、第１ゾーンは直交周波数分割多重アクセス（ＯＦＤＭＡ）を使用し、また、第２ゾーンは単一搬送周波数分割多重アクセス（ＳＣ−ＦＤＭＡ）を使用する。【選択図】図１Ａ
2010541301.tif 000002
【特許請求の範囲】
【請求項１】
１組の移動局および基地局を含むマルチ入力マルチ出力（ＭＩＭＯ）ネットワークのセル内でシンボルを通信する方法であって、前記シンボルが直交周波数分割多重化（ＯＦＤＭ）および時分割２重（ＴＤＭ）を使用して伝達され、
前記基地局と前記移動局との間で前記シンボルを通信するためのフレームを構成する工程であって、前記フレームが、前記基地局から前記移動局へ前記シンボルを通信するためのダウンリンク・サブフレームと、前記移動局から前記基地局へ前記シンボルを通信するためのアップリンク・サブフレームとに分割される工程と、
前記アップリンク・サブフレームを第１ゾーンと第２ゾーンとに分割する工程であって、前記第１ゾーンは直交周波数分割多重アクセス（ＯＦＤＭＡ）を使用し、また、前記第２ゾーンは単一搬送周波数分割多重アクセス（ＳＣ−ＦＤＭＡ）を使用する工程と、
前記アップリンク・サブフレームを前記移動局から前記基地局へ送信する工程と、
を備える方法。
【請求項２】
前記セル内の前記移動局の組は、前記第１ゾーンのＯＦＤＭＡおよび前記第２ゾーンのＳＣ−ＦＤＭＡの両方を使用して、前記基地局と同時に通信する、請求項１の方法。
【請求項３】
特別な移動局のトランスミッタが、ＳＣ−ＦＤＭＡ用の副搬送波上にシンボルを拡散させるために、選択的に離散的フーリエ変換（ＤＦＴ）を行う、請求項１の方法。
【請求項４】
前記第１ゾーンおよび前記第２ゾーンの配列は任意である、請求項１の方法。
【請求項５】
前記配列は前記基地局によって決定される、請求項４の方法。
【請求項６】
前記配列は、ＯＦＤＭＡおよびＳＣ−ＦＤＭＡモードで作動する移動局の組の数に依存する、請求項４の方法。
【請求項７】
前記ゾーンの前記配列は、スタートシンボルのインデックスおよび各ゾーンでの連続するシンボルの数により指定される、請求項４の方法。
【請求項８】
前記ダウンリンク・サブフレームにおける制御シンボルとして前記インデックスおよび長さをブロードキャストする工程をさらに備える、請求項７の方法。
【請求項９】
前記シンボルを前記第２ゾーン内の隣接する副搬送波に写像する工程をさらに備える、請求項１の方法。
【請求項１０】
前記第２ゾーン内の副搬送波中の前記シンボルを交互に配列する工程をさらに備える、請求項１の方法。
【請求項１１】
シンボルの全列が単一の移動局へ割り当てられる、請求項１の方法。
【発明の詳細な説明】
【技術分野】
【０００１】
この発明は、一般的に、無線通信の分野に関し、特に、使用者ターミナルから基地局へのセルラー通信網におけるアップリンク伝送に関し、また特に、単一キャリヤ・マルチ入力マルチ出力（ＭＩＭＯ）直交周波数分割多重化（ＯＦＤＭ）、およびＭＩＭＯ直交周波数分割マルチプル（多重）アクセス（ＯＦＤＭＡ）方式に関する。
【背景技術】
【０００２】
ＷｉＭＡＸが基づく、ＩＥＥＥ８０２．１６標準「パート１６：広帯域無線アクセスシステム用エアー・インターフェース」８０２．１６は、ユーザ端末から基地局へのアップリンクにおいて直交周波数デマルチプレクシング・マルチプルアクセス（ＯＦＤＭＡ）を使用する。ＯＦＤＭＡにおいて、各ユーザ端末（トランシーバーまたは移動局）は、トランスミッタがデータシンボルを変調する１組の割り当てられた副搬送波でデータを基地局へ送信する。いくつかの端末中でのマルチプルアクセスは、ばらばらな組の副搬送波を端末へ割り付けることによって達成される。したがって、アップリンクＯＦＤＭＡシンボルはそれぞれ、ばらばらな組の副搬送波の上でいくつかの移動局からのデータを含んでいる。
【０００３】
図１Ｂは従来のＯＦＤＭＡトランスミッタ（送信器）およびレシーバー（受信器）を示す。この構造は、ＩＥＥＥ８０２．１６標準によって設計されたネットワークにおいて現在使用されている。トランスミッタは、複素数値変調シンボル１０１｛ｘｎ｝、ｎ＝０、１、２、・・・、Ｎをグループ化することによりスタートする。グループ化された変調シンボルは、Ｍ−ポイント逆離散フーリエ変換（ＩＤＦＴ）オペレーション１１０によってＭ個の直交搬送波のＮへマップされ、変調１００される。
【０００４】
逆離散フーリエ変換（ＩＤＦＴ）ブロック１１０への入力は、１組のＭ個の複素数値シンボルであり、そのうちＭ−Ｎは０である。残りのＭ−Ｎ副搬送波は、他の移動局によって使用される。この信号処理はＯＦＤＭ送信用には従来から行われており、またこれは、周期的プレフィックス（ＣＰ）１２０を加えて、次に、ベースバンドデジタル信号１３０をアナログ無線周波数信号へ変換（ＤＡＣ）１３０して、増幅してワイヤレスチャンネル１３５を通して送信することを含んでいる。
【０００５】
レシーバーでは、受信ＲＦ信号はベースバンドへ変換（ＡＤＣ）１４０され、サンプリングされてベースバンドデジタル信号を生成する。そのデジタル信号は周期的プレフィックスを除去１５０するために処理され、そして次に、Ｍ−ポイントＤＦＴ１６０によって周波数領域へ変換される。その信号はワイヤレスチャンネルの影響を緩和するために等化１７０され、また個々のユーザデータは、副搬送波をデマッピング（ｄｅ−ｍａｐｐｉｎｇ）することにより、すなわち特別のユーザに関連したＮ副搬送波上のデータを検出１８０することにより、分離することができる。
【０００６】
代わりの、しかし同様の伝送法は、単一搬送周波数分割マルチプルアクセス（ＳＣ−ＦＤＭＡ）と呼ばれる。この技術は、非特許文献１によって詳細に記述されている。
【０００７】
図２は従来のＳＣ−ＦＤＭＡトランスミッタおよびレシーバーを示す。これは、トランスミッタ中の追加のＮ−ポイント離散的フーリエ変換（ＤＦＴ）２９０およびレシーバー中のＮ−ポイントＩＤＦＴ２９１の存在を除いて、図１Ｂに示されているものと本質的に同一の構造である。ＤＦＴ２９０は、Ｎ個のＯＦＤＭシンボルのすべてに割り当てられた副搬送波にわたって利用者データを広げる。対照的に、図１ＢのＯＦＤＭＡトランスミッタでは、個別データシンボルｘｎはそれぞれ、Ｍ−ポイントＩＤＦＴにより単一の副搬送波で搬送される。
【０００８】
ＯＦＤＭＡおよびＳＣ−ＦＤＭＡ技術の記述は、これらの２つの技術間の類似点を示す。ＯＦＤＭＡおよびＳＣ−ＦＤＭＡの両方がＯＦＤＭシンボルのシーケンスを送信し、そこでは、個別の副搬送波が複数のユーザ端末へ割り当てられる。両方の場合に、送信された信号は、時間および周波数領域の両方を占める２次元信号と見なすことができる。
【０００９】
調整ドメイン、たとえば米国におけるＦＣＣや欧州におけるＥＴＳＩのような政府機関は、ＲＦスペクトルにおいて使用される無線技術のタイプに対する制限を設けるかもしれない。さらに、競合する標準、たとえばＷｉＭＡＸ、３ＧＰＰ  ＬＴＥ、の市場の受入は、無線スペクトルを、或るサービス・プロバイダーがＯＦＤＭＡあるいはＳＣ−ＦＤＭＡの何れかをサポートする複数のエリアへ分割するかもしれない。
【先行技術文献】
【非特許文献】
【００１０】
【非特許文献１】３ＧＰＰ、「３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｐｈｙｓｉｃａｌ  ｌａｙｅｒ  ａｓｐｅｃｔｓ  ｆｏｒ  ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （ＵＴＲＡ）（第３世代パートナーシッププロジェクト；技術仕様グループ無線アクセス網；進化したユニバーサル地上波無線アクセス（ＵＴＲＡ）用のフィジカルレイヤーアスペクト」リリース７、のアップリンクで使用するために現在検討中である。ＳＣ−ＦＤＭＡは、「Ｓｉｎｇｌｅ  Ｃａｒｒｉｅｒ  ＦＤＭＡ  ｆｏｒ  Ｕｐｌｉｎｋ  Ｗｉｒｅｌｅｓｓ  Ｔｒａｎｓｍｉｓｓｉｏｎ（アップリンク・ワイヤレス送信用の単一キャリヤＦＤＭＡ）」、ＩＥＥＥ車両技術部会誌、２００６年９月、ｐｐ．３０−３８に、Ｈ．Ｇ．Ｍｙｕｎｇ外
【発明の概要】
【発明が解決しようとする課題】
【００１１】
したがって、同一のセルラー・ネットワーク内で両方の伝送技術を展開することが望まれる。
【００１２】
この発明は、ワイヤレス・ネットワークにおいてＯＦＤＭＡをＳＣ−ＦＤＭＡと組み合わせる方法を提供する。
【課題を解決するための手段】
【００１３】
この発明における方法は、１組の移動局および基地局を含むマルチ入力マルチ出力（ＭＩＭＯ）ネットワークのセルにおいて複数のシンボルを通信する。これらのシンボルは、直交周波数分割多重化（ＯＦＤＭ）および時分割２重（ＴＤＭ）を使用して伝達される。基地局と移動局との間でこれらのシンボルを通信するためのフレームが構成される。そのフレームは、ダウンリンク・サブフレームおよびアップリンク・サブフレームへ分割される。アップリンク・サブフレームは第１ゾーンと第２ゾーンとに分割され、第１ゾーンは直交周波数分割多重アクセス（ＯＦＤＭＡ）を使用し、また、第２ゾーンは単一搬送周波数分割多重アクセス（ＳＣ−ＦＤＭＡ）を使用する。
【００１４】
この発明によれば、基地局は、それぞれのＯＦＤＭＡおよびＳＣ−ＦＤＭＡ送信ができる端末の数に基づいて、それらのゾーンのサイズを割り当てることができる。
【図面の簡単な説明】
【００１５】
【図１Ａ】この発明の実施の形態１によって使用されるワイヤレス・ネットワークの概略図である。
【図１Ｂ】従来のＯＦＤＭＡトランシーバーのブロック図である。
【図２】従来のＳＣ−ＦＤＭＡトランシーバーのブロック図である。
【図３】従来のフレーム構造のブロック図である。
【図４】この発明の実施の形態１によるフレーム構造のブロック図である。
【図５】この発明の実施の形態１によるＳＣ−ＦＤＭＡ副搬送波マッピングのブロック図である。
【図６】この発明の実施の形態１によるＳＣ−ＦＤＭＡ副搬送波マッピングのブロック図である。
【図７】この発明の実施の形態１によるフレーム構造のブロック図である。
【図８】この発明の実施の形態１によるＳＣ−ＦＤＭＡトランシーバーのブロック図である。
【発明を実施するための形態】
【００１６】
実施の形態１．
図１Ａは、この発明の実施の形態１によって使用されるセルラー・ネットワーク、たとえばＩＥＥＥ８０２．１６／１６ｅ標準によるワイヤレス・ネットワーク、を示す。そのネットワークは基地局（ＢＳ）および複数の移動局（ＭＳ）を含む。下記に述べるように、各ステーションは、トランスミッタおよびレシーバー、すなわちトランシーバー、を含む。ＢＳは、複数のチャネル上の特別のセルにおいてＭＳとのすべての通信を管理し調整する。
【００１７】
図示されるようなネットワークは、それらのステーションおよびチャネルがアップリンクおよびダウンリンクチャネル１０２上で直交周波数分割多重アクセス（ＯＦＤＭＡ）および単一搬送周波数分割多重アクセス（ＳＣ−ＦＤＭＡ）の両方をサポートするという点で異なる。
【００１８】
図３は、ＯＦＤＭのみを使用するセルラー・ネットワークのみにおいて使用される従来のフレーム構造を示す。水平軸は時間を示し、また、垂直軸は周波数副チャンネルグループ分けを示す。フレーム３００は、時間的に連続するＫ＋１ＯＦＤＭシンボル３０５のグループとして定義され、このＯＦＤＭシンボルは０からＫまでインデックスを付される。各ＯＦＤＭシンボルは、１組の、０からＣまでインデックス付けされたＣ＋１個の並列の直交周波数副チャンネルを使用する。したがって、図３に示される時間周波数平面の単一のコラム３０１は、単一のＯＦＤＭシンボルである。
【００１９】
副チャンネルは、ＯＦＤＭネットワークの個別の副搬送波を表わしてもよく、この場合、Ｃ＝Ｍ、すなわち図１Ｂおよび図２においてＩＤＦＴのサイズである。または、１グループ（群）の副搬送波を特別の送信のために割り当てることができる。後者はＩＥＥＥ８０２．１６標準における場合である。いずれにしても、連続する複数のＯＦＤＭシンボルの１つのグループとしてのフレームの定義は成立する。
【００２０】
時分割デュプレックス（２重）（ＴＤＤ）ネットワークでは、複数のＯＦＤＭシンボルが、アップリンク・サブフレーム３０２およびダウンリンク・サブフレーム３０３へさらに分割される。一般に、第１ＫＤＬシンボルは基地局から端末へのダウンリンク送信に割り当てられ、また、残りのＫ−ＫＤＬシンボルは端末から基地局へのアップリンク伝送に割り当てられる。
【００２１】
（ＫＤＬ−１）番目のシンボルおよび（ＫＤＬ）番目のシンボルとの間の小さな時間間隔３０７が、端末に送信モードと受信モードとの間の切替を行うための十分な時間を与えるために、必要かもしれない。２つの連続するフレーム間の時間間隔も、同様の理由で必要とされるかもしれない。
【００２２】
ダウンリンク・サブフレームが制御情報をブロードキャスト（同時配信）するために保留された、いくつかのＯＦＤＭ制御シンボルをさらに含むと、仮定される。典型的には、基地局は、これらのＯＦＤＭ制御シンボルを使用して、副チャンネル割当および残りのダウンリンクおよびアップリンク・サブフレームに対する予定情報を含む制御情報をその関連する複数の端末へ送信する。
【００２３】
大多数の最近の無線セルラースタンダード（標準）はＯＦＤＭＡ送信を採用している。我々はアップリンク・サブフレームに注目する。上述のように、ＯＦＤＭＡおよびＳＣ−ＦＤＭＡの両方はＯＦＤＭに基づいた同一の信号の構造を本質的に有するが、それらの唯一の相違は、ＳＣ−ＦＤＭＡが複数の副搬送波にわたって付加的な周波数の拡散を行うことである。
【００２４】
したがって、基地局は、副搬送波のデマッピングおよび等化１７０の後にデータを直接検知するように、または、追加のデスプレディング（非拡散：ｄｅｓｐｒｅａｄｉｎｇ）２９１を行うように変更することができる。
【００２５】
我々は、基地局が同一のセルにおいてＯＦＤＭＡおよびＳＣ−ＦＤＭＡ移動局の両方をサポートすることを可能にするために、フレーム構造のアップリンク部分を図４および図８に示されるように修正変更する。
【００２６】
図４はこの発明の実施の形態１によって修正変更されたアップリンク・フレーム構造３０３を示す。アップリンク・サブフレームは、２つの部分すなわちゾーン（区域）４０１−４０２へ分割されている。これらのゾーンは、ＩＥＥＥ８０２．１６標準において一般的に定義される。
【００２７】
この発明の実施の形態１によれば、第１ゾーン４０１はモバイル（携帯）端末からのＯＦＤＭＡ送信に専用的に使用され、また、第２ゾーン４０２はモバイル端末からのＳＣ−ＦＤＭＡ送信に専用的に使用される。
【００２８】
ＯＦＤＭＡおよびＳＣ−ＦＤＭＡゾーンの配列、すなわち順序、やそれらの相対的サイズ、すなわち構成するＯＦＤＭシンボルの数、は任意でもよい。ＯＦＤＭＡおよびＳＣ−ＦＤＭＡに関する端末の能力は、移動局がセルを変更する際のネットワークへのエントリ（接続）、リエントリ（再接続）、およびハンドオーバーの間、典型的には基地局と交換される。基地局は、それぞれのＯＦＤＭＡおよびＳＣ−ＦＤＭＡ送信ができる端末の数に基づいて、それらのゾーンのサイズを割り当てることができる。
【００２９】
アップリンク・サブフレーム全体を作り上げているＫ−ＫＤＬシンボルは、スタートシンボルのインデックスおよび連続するシンボルの長さまたは数を指定することにより、分割することができる。ＯＦＤＭＡゾーン４０１に対するスタート（開始）シンボルのインデックスは、ＫＯｉとして表示され、また、ＯＦＤＭシンボルの単位で表したその長さは、ＫＯｌとして表示される。
【００３０】
同様に、ＳＣ−ＯＦＤＭＡのゾーン４０２に対して、ＫＳｉ、ＫＳｉはスタートシンボル・インデックスおよびゾーン長さをそれぞれ表示する。ＫＯｉ、ＫＯｌ、ＫＳｉ、ＫＳｉの値は可変であり、１フレームごとに、基地局によって決定することができる。この決定は、ＯＦＤＭＡまたはＳＣ−ＦＤＭＡをサポートする端末の数、および様々な端末によって生成されたトラフィックの量に基づくことができる。変数ＫＯｉ、ＫＯｌ、ＫＳｉ、ＫＳｉが決定された後、それらの変数に対する制御シンボルは、ダウンリンク・サブフレームにおける制御情報のブロードキャスト中に、端末へ送信される。
【００３１】
副搬送波写像の考察
利点として、ＳＣ−ＦＤＭＡは、ＯＦＤＭＡよりも低いピーク対平均電力比（ＰＡＰＲ）を有する。これによって、移動局はその送信到達距離を拡張することができる。ＰＡＰＲのこの減少は、副搬送波マッピングが行われる方法にいくつかの制約を伴う。したがって、ＳＣ−ＯＦＤＭＡゾーン４０２内では、副搬送波マッピングはＰＡＰＲの減少を達成するような方法で行われる。我々は、このマッピングへの２つのアプローチ（方法）について記述した。一方は「インターリーブ（交互配列）」と呼ばれ、また、他方は「連続配列」と呼ばれる。
【００３２】
図５は、シンボル｛ｘｎ｝のシーケンス５１０およびＮ−ポイントＤＦＴ２９０、並びに副搬送波マッピング２００を示す。Ｎ−ポイントＤＦＴの出力では、我々は、Ｍ個の副搬送波上に写像することができるＮ個の周波数シンボル５２０を有する。連続マッピングにおいて、シーケンスｘｎ｛ｎ＝０、１、・・・、Ｎ−１｝はｋによってインデックス付けされた１組の副搬送波へ写像され、その副搬送波は、Ｎ個の連続する整数｛ｋ＝ｋ１、ｋ１＋１、ｋ１＋２、・・・、ｋ１＋Ｎ｝のシーケンス５３０である。Ｍ−ポイントＩＤＴＦの残りのＭ−Ｎ入力は、０に設定され、そしてそのネットワークにおける他の端末へ割り当てることができる。
【００３３】
図６は、インターリーブ（交互配列）マッピングの例を示す。この場合、ＤＦＴブロック２９０からのＮ個の出力６２０は、｛ｋ＝ｋ１、ｋ１＋Ｄ、ｋ１＋２＊Ｄ、ｋ１＋Ｎ＋Ｄ｝によってインデックス付けされた不連続の１組の副搬送波６３０へ写像され、ここでＤは割り当てられた副搬送波間の間隔を表わす定数である。したがって、Ｍ−ポイントＩＤＦＴ２１０への入力は、一定間隔で規則的に配列された、０ではない入力を含む。残りの端末は、Ｍ−Ｎ搬送波に割り当てることができ、この結果、利用者データは副搬送波上にインターリービング（交互）に配列される。
【００３４】
ＮがＭの整数除数であるとき、Ｍ副搬送波の最も効率的な使用が生じる。したがって、我々は、すべてのＭ副搬送波を端末
【数１】
2010541301.tif 000003
へ割り当てることができる。この場合、インターリーブ（交互配列）マッピングはＤ＝Ｕとなる。
【００３５】
Ｎ＝ＭでのＳＣ−ＦＤＭＡ
１つの実施の形態１では、Ｎ＝Ｍの時、フレーム構造はＳＣ−ＦＤＭＡアップリンク伝送のために考慮することができる。この場合、ＤＦＴおよびＩＤＦＴのサイズは同じであり、そして、我々は、その端末からのデータが１つのＯＦＤＭシンボルの全帯域幅に拡散される、周波数を拡散する場合として、これを見ることができる。１つのシンボル全体が各ユーザ端末によって使用されるので、この場合の多重アクセスは、単一のＯＦＤＭシンボル内の複数の副搬送波を割り当てることによっては達成されない。むしろ、基地局は送信スロットを各端末へ割り当てる。そこでは、各スロットは、１つの端末用のデータをすべて搬送するＭ個の搬送波を有する単一のＯＦＤＭシンボルである。
【００３６】
図７は、この多重アクセス方式でのアップリンク・サブフレーム３０３を示す。そのサブフレームは、ＯＦＤＭＡゾーン４０１およびＳＣ−ＦＤＭＡゾーン４０２へ分割される。ＳＣ−ＦＤＭＡゾーン４０２では、基地局はＯＦＤＭシンボル７０１の全列、すなわちすべての搬送波を、１つの端末へ割り当て、また、この端末は図２に示すようにそれらのデータを拡散させる。
【００３７】
この技術には２つの利点がある。先ず、それは、すべての方式に対して最小のＰＡＰＲを達成する。次に、端末が、他の多重アクセスおよびマッピング技術と比較して、はるかに高いデータ率で送信することができるので、この端末は電力を低減することができる。
【００３８】
さらに、端末はそのすべての伝送を最小量の時間へ圧縮することができ、そして、次のダウンリンクまたはアップリンク・サブフレームを待ちながら、より少ない電力を消費するスリープやアイドル状態に入ことができる。
【００３９】
ターミナルごとのＳＣ−ＦＤＭＡ
上述した実施の形態１は、すべてアップリンク・サブフレーム３０３を分割し、そこでは、ＳＣ−ＦＤＭＡ送信がＯＦＤＭＡ送信から分離される。このような分離は、同一のセルにおいてＯＦＤＭＡおよびＳＣ−ＦＤＭＡの共存のためには、厳密には必要でない。
【００４０】
図１Ｂおよび図２に示されるように、これらの２つの送信方式の間の唯一つの相違は、ＳＣ−ＦＤＭＡの場合に、ＤＦＴ２９０でデータを拡散させる追加の工程である。ＳＣ−ＦＤＭＡレシーバーは、ＩＤＦＴオペレーション２９１でデスプレッド（非拡散）させる。
【００４１】
したがって、図８に示されるように、基地局は、ＳＣ−ＦＤＭＡ端末へ割り当てられる副搬送波を選択的に拡散および非拡散させることにより、単一のゾーン内のＯＦＤＭＡおよびＳＣ−ＦＤＭＡ端末の両方に対して役立つことができる。すなわち、ＯＦＤＭＡの場合には、破線によって示されるように、拡散させることおよび非拡散させることは回避２７５される。
【００４２】
基地局は副搬送波およびシンボルを端末に割り当てる役割を担うので、この基地局は、追加のＩＤＦＴを介してデスプレッド（非拡散）させることを選択することができる。ダウンリンク・サブフレームの初めにブロードキャストされた制御情報の送信中に、基地局は、個々の端末がそれらに割り当てられた副搬送波にわたってそれらのデータのＮ−ポイントＤＦＴ拡散オペレーションを実行するように、個々の端末に信号を送る。
【００４３】
その信号は、副搬送波の組およびＯＦＤＭシンボルインデックスとともに送信される単一ビットでもよい。「１」の値は、ＳＣ−ＦＤＭＡの拡散がアップリンク伝送に対してアクティブであることを端末に示しているが、また他方で「０」の値は、ＯＦＤＭＡ送信が使用されるべきであることを示している。この信号手順は、基地局が端末の能力に関する知識、すなわち、端末がＳＣ−ＦＤＭＡ送信をすることができるか否かについての知識を持っていることを仮定する。
【００４４】
この発明は好ましい実施の形態１を例として記述されたが、この発明の趣旨および範囲内で様々な他の改変および変更を行うことができることが理解されるべきである。したがって、この発明の真実の趣旨および範囲内に入るような、すべての変更例および変形例をカバーすることが、添付のクレームの目的である。
【図１Ａ】
2010541301.tif 000004
【図１Ｂ】
2010541301.tif 000005
【図２】
2010541301.tif 000006
【図３】
2010541301.tif 000007
【図４】
2010541301.tif 000008
【図５】
2010541301.tif 000009
【図６】
2010541301.tif 000010
【図７】
2010541301.tif 000011
【図８】
2010541301.tif 000012
【国際調査報告】
2010541301.tif 000013
2010541301.tif 000014